(57)【要約】    【課題】  皺や垂れ下がりによる見栄えの低下、商品の付加価値の低下。    【構成】  ポリエステル等の合成繊維により防カビ処理または抗菌処理したカーテン地２を所定の大きさに裁断して生地取りし、このカーテン地２の四周の内、少なくとも、下縁５および左右側縁６は超音波加工により溶断し、カーテン地２の上縁は、奥片１５と表片１６とが略同一長さとなるようにして裏片１７に重ねて三つ折りにし、この三つ折り部１８の奥片１５と表片１６の間にポリエステル等の合成繊維による不織布により形成した芯材１９を挟み、この状態で、三つ折り部１８の下縁側を、奥片１５と表片１６と裏片１７および芯材１９の下縁が一体となるように糸２０により縫製し、前記三つ折り部１８に幅方向に所定間隔を置いて複数の鳩目２７を形成したシャワーカーテン１の製造方法。【選択図】    図６
2005296336.tif 000002
【特許請求の範囲】
【請求項１】
ポリエステル等の合成繊維により防カビ処理または抗菌処理したカーテン地２を所定の大きさに裁断して生地取りし、このカーテン地２の四周の内、少なくとも、下縁５および左右側縁６は超音波加工により溶断し、カーテン地２の上縁は、奥片１５と表片１６とが略同一長さとなるようにして裏片１７に重ねて三つ折りにし、この三つ折り部１８の奥片１５と表片１６の間にポリエステル等の合成繊維による不織布により形成した芯材１９を挟み、この状態で、三つ折り部１８の下縁側を、奥片１５と表片１６と裏片１７および芯材１９の下縁が一体となるように糸２０により縫製し、前記三つ折り部１８に幅方向に所定間隔を置いて複数の鳩目２７を形成したシャワーカーテン１の製造方法。
【請求項２】
ポリエステル等の合成繊維により防カビ処理または抗菌処理したカーテン地２の四周の内、少なくとも、下縁５および左右側縁６は超音波加工により溶断し、カーテン地２の上縁は、奥片１５と表片１６とが略同一長さとなるようにして裏片１７に重ねた三つ折り部１８に形成し、該三つ折り部１８は、奥片１５と表片１６の間にポリエステル等の合成繊維による不織布により形成した芯材１９を挟むと共に、該芯材１９ごと奥片１５と表片１６と裏片１７を一体となるように糸２０により縫製し、前記三つ折り部１８には幅方向に所定間隔を置いて複数の鳩目２７を設けたシャワーカーテン。
【請求項３】
請求項２において、前記鳩目２７は、三つ折り部１８に幅方向に所定間隔を置いて複数の鳩目孔２５を形成し、各鳩目孔２５は前記奥片１５と表片１６と裏片１７および芯材１９の夫々を貫通して形成し、前記各鳩目孔２５の前記表片１６と裏片１７から鳩目具２６を取付けて構成したシャワーカーテン。
【請求項４】
請求項２において、前記鳩目２７は、三つ折り部１８に幅方向に所定間隔を置いて複数の鳩目孔２５を形成し、各鳩目孔２５は前記奥片１５と表片１６と裏片１７および芯材１９の夫々を貫通し、かつ、前記鳩目孔２５の内周またはその周辺を、奥片１５と表片１６と裏片１７と芯材１９の四者が一体状となるように超音波により溶着させて、鳩目具２６を省略して形成したシャワーカーテン。
【請求項５】
請求項２または請求項３または請求項４において、前記鳩目孔２５は、前記各鳩目２７の間の奥片１５と表片１６と裏片１７および芯材１９の夫々を夫々が一体状となるように超音波により溶着した溶着部３０を設けたシャワーカーテン。
【発明の詳細な説明】
【技術分野】
【０００１】
本発明は、シャワー室や浴槽の周囲の仕切り等に使用されるシャワーカーテンに係るものである。
【背景技術】
【０００２】
従来、ポリエステル等の合成繊維により防カビ処理または抗菌処理したカーテン地を所定の大きさに裁断して生地取りし、このカーテン地の四周を超音波加工により溶断し、カーテン地の上縁は、上部を折り返して二つ折りにし、この二つ折り部分を超音波加工により溶着したシャワーカーテンの構成は公知である（例えば、特許文献１）。
【特許文献１】特開２００１−１０４１５１号公報
【発明の開示】
【発明が解決しようとする課題】
【０００３】
前記公知例は、単にカビの発生の少ないシャワーカーテンを提供するために、カーテン地の生地とりの際に四周を超音波加工機により溶断加工し、しかも、シャワーカーテンを吊る上縁は二つ折りにし、表片と裏片を互いに溶着しているため、生地に所謂腰・張りが無く、弛んだままとなって、高級感がないという課題がある。
即ち、シャワーカーテンは、鳩目にバーやワイヤーを挿通して取付けるため、シャワーカーテンの重量が各鳩目に掛かり、鳩目と鳩目の間のシャワーカーテンが下に弛み、見栄えが悪く、特に、シャワーカーテンの上縁を単に二つ折りにしたので、見栄えが悪くなる。
また、公知例は、二つ折の表片と裏片とを張り合せただけであるから、接着強度が低いという課題がある。
本願は、シャワーカーテンの製造に工夫し、上縁の弛みを減少させた高級感のあるシャワーカーテンを提供するものである。
【課題を解決するための手段】
【０００４】
本発明は、ポリエステル等の合成繊維により防カビ処理または抗菌処理したカーテン地２を所定の大きさに裁断して生地取りし、このカーテン地２の四周の内、少なくとも、下縁５および左右側縁６は超音波加工により溶断し、カーテン地２の上縁は、奥片１５と表片１６とが略同一長さとなるようにして裏片１７に重ねて三つ折りにし、この三つ折り部１８の奥片１５と表片１６の間にポリエステル等の合成繊維による不織布により形成した芯材１９を挟み、この状態で、三つ折り部１８の下縁側を、奥片１５と表片１６と裏片１７および芯材１９の下縁が一体となるように糸２０により縫製し、前記三つ折り部１８に幅方向に所定間隔を置いて複数の鳩目２７を形成したシャワーカーテン１の製造方法としたものである。
【０００５】
本発明は、ポリエステル等の合成繊維により防カビ処理または抗菌処理したカーテン地２の四周の内、少なくとも、下縁５および左右側縁６は超音波加工により溶断し、カーテン地２の上縁は、奥片１５と表片１６とが略同一長さとなるようにして裏片１７に重ねた三つ折り部１８に形成し、該三つ折り部１８は、奥片１５と表片１６の間にポリエステル等の合成繊維による不織布により形成した芯材１９を挟むと共に、該芯材１９ごと奥片１５と表片１６と裏片１７を一体となるように縫製し、前記三つ折り部１８には幅方向に所定間隔を置いて複数の鳩目２７を設けたシャワーカーテンとしたものである。
【０００６】
本発明は、前記鳩目２７は、三つ折り部１８に幅方向に所定間隔を置いて複数の鳩目孔２５を形成し、各鳩目孔２５は前記奥片１５と表片１６と裏片１７および芯材１９の夫々を貫通して形成し、前記各鳩目孔２５の前記表片１６と裏片１７から鳩目具２６を取付けて構成したシャワーカーテンとしたものである。
【０００７】
本発明は、前記鳩目２７は、三つ折り部１８に幅方向に所定間隔を置いて複数の鳩目孔２５を形成し、各鳩目孔２５は前記奥片１５と表片１６と裏片１７および芯材１９の夫々を貫通し、かつ、前記鳩目孔２５の内周またはその周辺を、奥片１５と表片１６と裏片１７と芯材１９の四者が一体状となるように超音波により溶着させて、鳩目具２６を省略して形成したシャワーカーテンとしたものである。
【０００８】
本発明は、前記鳩目孔２５は、前記各鳩目２７の間の奥片１５と表片１６と裏片１７および芯材１９の夫々を夫々が一体状となるように超音波により溶着した溶着部３０を設けたシャワーカーテンとしたものである。
【発明の効果】
【０００９】
請求項１の発明では、カビの発生の無いシャワーカーテン１でありながら、シャワーカーテン１の上縁の生地に所謂腰・張りを持たせ、高級感のあるシャワーカーテン１を提供できる。
請求項２の発明では、カビの発生を防止しつつ、生地に腰・張りを持たせた高級感溢れるシャワーカーテン１を提供できる。
請求項３の発明では、カビの発生を防止しつつ、吊り下げ強度の高いシャワーカーテン１を提供でき、耐久性を向上させることができる。
請求項４の発明では、鳩目具２６を省略して形成でき、作業工程を減少させてコストを低くできる。
請求項５の発明では、三つ折り部１８部分の強度を向上させらるだけでなく、三つ折り部１８部分の装飾効果も期待できる。
【実施例１】
【００１０】
本発明のシャワーカーテン１の製法の一実施例を図面により説明すると、シャワーカーテン１はポリエステル等の合成繊維により形成したカーテン地２により構成する。カーテン地２は織る前の糸に防カビ処理を施したり、あるいは、生地にしたカーテン地２の表面に防カビ処理を行って、所謂抗菌・制菌加工するが、カーテン地２の構成は任意であり、浴室やシャワー室で使用されるシャワーカーテンを製造するものであればよい。
【００１１】
シャワーカーテン１は、所定幅のシート状の生地をロール状に巻回し、このロール生地より所定長さ引き出し、所定寸法のカーテン地２に裁断する。
この場合、カーテン地２は超音波等を用いた超音波加工機３により溶かして切断する溶断加工可能に構成し、裁断するときに、裁断面の繊維を溶かしてほつれ無いようにすると、裁断加工と「ほつれ防止」加工を同時にできて好適である。
【００１２】
したがって、前記シャワーカーテン１は、少なくとも、下縁５および左右側縁６は前記超音波加工機３により溶断加工によってほつれ防止させる。
【００１３】
超音波加工機３は公知構成のものであり、上下する溶着ローラ８の下方に振動体９を設け、溶着ローラ８と振動体９によりカーテン地２を挟持して振動により溶かしながら切断し、切断と同時に切断面を溶かして「ほつれ防止」加工も終了する。
【００１４】
この超音波加工機３による溶断は、直線あるいは曲線、波線等の線模様のみならず、所定の柄が連続する柄模様でもよく、任意である。
【００１５】
この場合、少なくとも、下縁５は両端１０が低く中央１１が高くい円弧状の波線形状にして、両端１０と中央１１との間に上下高さに差を生じさせて溶断すると、水切りが良好となって、好適である。実施例では１〜４ｍｍ程度の幅の波形形状に溶断している。
【００１６】
しかして、カーテン地２の上縁は、奥片１５と表片１６と裏片１７とに三つ折りにした三つ折り部１８に形成する。奥片１５と表片１６は略同一長さで全幅に亘って折り返し、奥片１５と表片１６の間には芯材１９を挟んで装着する。
【００１７】
芯材１９はポリエステル等の合成繊維による不織布により形成し、この芯材１９を奥片１５と表片１６の間に挟んだ状態で、三つ折り部１８の下縁側の奥片１５と表片１６と裏片１７および芯材１９の下縁を糸（ポリエステル専用ミシン糸）２０により一体状に縫製する。
【００１８】
また、三つ折り部１８の左右両側は、前記超音波加工機３による溶着加工あるいはミシン糸２０による縫製加工する。
【００１９】
しかして、カーテン地２の上縁の形成した三つ折り部１８には幅方向に所定間隔を置いて複数の鳩目孔２５を形成し、各鳩目孔２５に鳩目具２６を装着して鳩目２７を形成する。
【００２０】
この場合、鳩目孔２５は、三つ折り部１８の奥片１５と表片１６と裏片１７および芯材１９の夫々を貫通させて形成し、前記鳩目２７は、三つ折り部１８の鳩目孔２５に表裏の両側から奥片１５と表片１６と裏片１７および芯材１９とを鳩目具２６により挟持するように嵌め込んで、固定する。
【００２１】
また、前記鳩目孔２５の内周は、奥片１５と表片１６と裏片１７と芯材１９の四者が一体状となるように溶着（溶断）させて、前記鳩目具２６を省略して鳩目２７を形成してもよい。
【００２２】
即ち、各鳩目孔２５は、奥片１５と表片１６と裏片１７および芯材１９の夫々を貫通し、かつ、鳩目孔２５の内周またはその周辺を、奥片１５と表片１６と裏片１７と芯材１９の四者が一体状となるように超音波により溶着させて鳩目２７を形成し、鳩目具２６を省略する。
【００２３】
しかして、各鳩目２７の間の三つ折り部１８には、奥片１５と表片１６と裏片１７および芯材１９の夫々を夫々が一体状となるように超音波により溶着した溶着部３０を設けてもよい。
【００２４】
溶着部３０は直線あるいは曲線、波線等の線模様のみならず、所定の柄が連続する柄模様でもよく、任意である。
【００２５】
（実施例の作用）
ポリエステル等の合成繊維によりカーテン地２を製造し、製造前または製造後のカーテン地２に防カビ処理または抗菌処理し、このカーテン地２を所定の大きさに裁断して生地取りする。
【００２６】
このカーテン地２の生地取りするとき、カーテン地２の四周の内、少なくとも、下縁５および左右側縁６は超音波加工により溶断して行うから、下縁５および左右側縁６は縫製作業を省略し、ミシン糸を使用しないので、カビの発生を防止する。
【００２７】
しかして、カーテン地２の上縁は、奥片１５と表片１６は略同一長さで全幅に亘って折り返し、奥片１５と表片１６と裏片１７とに三つ折りにして三つ折り部１８に形成し、前記奥片１５と表片１６の間には芯材１９を挟み、この状態で、三つ折り部１８の下縁側の奥片１５と表片１６と裏片１７および芯材１９の下縁をミシン糸２０により一体状に縫製する。
【００２８】
次に、三つ折り部１８には幅方向に所定間隔を置いてバーやワイヤーを挿通する複数の鳩目２７を形成する。
【００２９】
したがって、カーテン地２の上縁である三つ折り部１８は、所謂生地の「腰」あるいは「張り」といった生地本来の一枚状の形状を保持する強度が向上し、鳩目２７の間のシャワーカーテン１の生地が不規則に垂れ下がるのを防止でき、高級感のあるシャワーカーテン１となる。
【００３０】
また、この三つ折り部１８の奥片１５と表片１６の間にポリエステル等の合成繊維による不織布により形成した芯材１９を挟み、この状態で、三つ折り部１８の下縁側を、奥片１５と表片１６と裏片１７および芯材１９の下縁が一体となるようにミシン糸２０により縫製しているから、一層、三つ折り部１８の強度が向上する。
【００３１】
この場合、カーテン地２の上縁の三つ折り部１８は、ミシン糸２０による縫製作業を行っても、水が掛かることが少なく、また、溌水作用を有するミシン糸２０を使用しているので、カビの発生も防止でき、カビ発生防止と高級感とを両立させられる。
【００３２】
即ち、シャワーカーテン１におけるカビの発生原因は、エサ（養分）となる垢等の有機物を含む汚水が長時間付着することであり、通常、シャワーカーテン１の三つ折り部１８は浴室の天井付近に位置するので垢を含む汚水による汚染が少なく、この三つ折り部１８部分をミシン糸２０によって縫製作業を行っても、カビの発生はなく、一方、ミシン糸２０による縫製作業を行うことで、三つ折り部１８における垂れ下がりを防止した質感の高級なシャワーカーテン１を提供できる。
【００３３】
しかして、シャワーカーテン１の上縁の形成した三つ折り部１８には幅方向に所定間隔を置いて複数の鳩目孔２５を形成し、各鳩目孔２５に鳩目具２６を装着して鳩目２７を形成しているから、鳩目２７に浴室のバーやワイヤーを挿通して取付ける。
【００３４】
この場合、前記鳩目２７は、三つ折り部１８に幅方向に所定間隔を置いて複数の鳩目孔２５を形成し、各鳩目孔２５は前記奥片１５と表片１６と裏片１７および芯材１９の夫々を貫通して形成し、前記各鳩目孔２５の前記表片１６と裏片１７から鳩目具２６を取付けているから、シャワーカーテン１の吊り下げ強度を十分に確保する。
【００３５】
また、鳩目孔２５の内周は、奥片１５と表片１６と裏片１７と芯材１９の四者が一体状となるように溶着（溶断）させて、前記鳩目具２６を省略して鳩目２７を形成してもよい。
【００３６】
即ち、各鳩目孔２５は、奥片１５と表片１６と裏片１７および芯材１９の夫々を貫通し、かつ、鳩目孔２５の内周またはその周辺を、奥片１５と表片１６と裏片１７と芯材１９の四者が一体状となるように超音波により溶着させて鳩目２７を形成し、鳩目具２６を省略できる。
【００３７】
しかして、各鳩目２７の間の三つ折り部１８には、奥片１５と表片１６と裏片１７および芯材１９の夫々を夫々が一体状となるように超音波により溶着した溶着部３０を設けると、三つ折り部１８部分に装飾効果を施すことができ、高級感のあるシャワーカーテン１にできる。
【００３８】
また、溶着部３０を設けることにより、三つ折り部１８部分の強度を向上させられる。
【図面の簡単な説明】
【００３９】
【図１】裁断前のカーテン生地の斜視図。
【図２】裁断後のカーテン生地の正面図。
【図３】同カーテン生地の下縁部分の正面図。
【図４】三つ折り部の側面図。
【図５】同縫製後の縦断側面図。
【図６】鳩目部分の斜視図。
【図７】同断面図。
【図８】鳩目部分の他の実施例図。
【図９】三つ折り部に溶着加工を施した実施例の斜視図。
【符号の説明】
【００４０】
１…シャワーカーテン、２…カーテン地、３…超音波加工機、５…下縁、６…左右側縁、８…溶着ローラ、９…振動体、１０…両端、１１…中央、１５…奥片、１６…表片、１７…裏片、１８…三つ折り部、１９…芯材、２０…ミシン糸、２５…鳩目孔、２６…鳩目具、２７…鳩目。
【図１】
2005296336.tif 000003
【図２】
2005296336.tif 000004
【図３】
2005296336.tif 000005
【図４】
2005296336.tif 000006
【図５】
2005296336.tif 000007
【図６】
2005296336.tif 000008
【図７】
2005296336.tif 000009
【図８】
2005296336.tif 000010
【図９】
2005296336.tif 000011